(57)【要約】      （修正有）【課題】クリップ及び切断のファンクションを兼備する手術用のピンセットを提供する。【解決手段】主に、縫い合う手術に用いるピンセットを指し、その特徴はピンセットの上段に、柱状の刀台座が突出するように設けられる。柱状の刀台座に刀の薄片を嵌め込むと、ピンセットの挟み端にクリップのファンクションがある以外、別側の上端における刀の薄片も利便にワイヤを切断する。よって、医者が縫い合い手術の断線操作のときに、ただピンセットを１８０度を回転すると、刀の薄片で断線できる。断線用のはさみがいらなくて、ほかの看護の手伝いもいらないので、縫い合い時間、麻酔時間を短縮し、麻酔剤の用量を減らし、人手のニーズを減らすばかりでなく、手術器材の使用、取換えも低減される。【選択図】図３
0003158793.tif 000002
【実用新案登録請求の範囲】
【請求項１】
クリップ及び切断のファンクションを兼備する手術用のピンセットの結構において，主に，縫い合う手術に用いるピンセットを指す．ピンセットの上段に，柱状の刀台座が突出すように設けられる．柱状の刀台座に，おりよく刀の薄片を嵌め込む．ピンセットの挟み端に，クリップのファンクションがある以外，別側の上端における刀の薄片も利便に，ワイヤを切断する効果を遂げる．よって，医者が縫い合い手術の断線操作のときに，ただ，ピンセットを１８０度を回転，操作すると，刀の薄片で断線できる．断線用のはさみがいらなくて，ほかの看護の手伝いもいらないので，縫い合い時間，麻酔時間を短縮し，麻酔剤の用量を減らし，人手のニーズを減らすばかりなく，手術器材の使用，取換えも低減されるマルチ効果に役立つということを特徴とする．
【請求項２】
請求項１記載のクリップ及び切断のファンクションを兼備する手術用のピンセットの結構において，主に，縫い合う手術に用いるピンセットを指す．ピンセットの上段に突出すように設けられる柱状の刀台座に嵌めこまれる刀の薄片は二つの突出弧形エッジがある．それで開口溝が形成される．その開口溝の底部エッジに，刃部が設けられる．そして，結び目を作ったあとの縫い合いワイヤは一端を少し引くと，ピンセットのフロント  プッシ方式を経由し，開口溝の内側における刃部に入って，プッシープールの瞬間に，軽易に縫い合いワイヤを切断するということを特徴とする．
【請求項３】
請求項１，２記載のクリップ及び切断のファンクションを兼備する手術用のピンセットの結構において，ピンセットの上段部に突出すように設けられる柱状の刀台座に嵌めこまれる刀の薄片は長い形状の片側弧刃の薄片だから，一般の手術刀を取り代える．
【請求項４】
請求項１記載のクリップ及び切断のファンクションを兼備する手術用のピンセットの結構において，柱状の刀台座に，ソケットが設置されるので，柱状の刀台座のソケットをピンセットの上段部にはめ，手でねじを調整して締め付ける．よって，ピンセットは着脱できる刀の組立台座を接続することができる．
【考案の詳細な説明】
【技術分野】
【０００１】
本案はクリップ及び切断のファンクションを兼備する手術用のピンセットの結構に関するものであり，特に，医療の縫い合い手術をしているうちに，医者が傷口周辺の皮膚を摘まみ，ワイヤで縫い合う用のピンセットというものを指す．本案の改良設計をしたあとで，本来のクリップ  ファンクションを具有する以外，傷口を縫い合うワイヤにとって，利便な断線の効果もあるので，実用な価値を持つ．
【背景技術】
【０００２】
図１を御参照して下さい．それは従来から，医者が医療の縫い合い手術のときに，よく使った医療器具である．主に，片手で，ピンセット１を持って，傷口１１の周辺の皮膚を摘まんだあとで，もう一つの手で，小さなやとっこ２を操作する．その小さなやとっこ２の先端開口に，針２１を挟む．針２１に，縫い合いワイヤ２２を繋ぐ．それで，医者が針ずつに，順序に傷口を縫い合う．
【考案の概要】
【考案が解決しようとする課題】
【０００３】
でも，医者が患者の縫い合い手術を行うときに，ワン針毎に，結び目を作って，挟み３で縫い合いワイヤ２２を断線したあとで，第二針，第三はりーーーなどの順序に縫い合わなければならない．前掲の縫い合いプロセスをしているうちに，非常に，面倒なことは針毎に縫い合ったあとで，医者がほかの手で，挟み３を取換えて，縫い合いワイヤ２２を断線しないと，次の針の縫い合いを行わない．または，そばの看護が手伝って，はさみを持って，縫い合いワイヤ２２を切断する．残念ながら，医者又は看護を問わず，別にはさみを持って，縫い合いワイヤ２２を切断するということは面倒で，人力の無駄だと言え，経済利益に合わない．
【課題を解決するための手段】
【０００４】
したがって，本案の主な目的はクリップ及び切断のファンクションを兼備する手術用のピンセットの結構を提供することにある．ピンセットの上段に，柱状の刀台座が突出すように設けられる．柱状の刀台座に，おりよく刀の薄片を嵌め込む．そうすると，ピンセットの挟み端に，クリップのファンクションがある以外，別側の上端における刀の薄片も利便に，ワイヤを切断する効果を遂げる．よって，医者が縫い合い手術の断線操作のときに，ただ，ピンセットを１８０度を回転，操作すると，刀の薄片で断線できる．断線用のはさみがいらなくて，ほかの看護の手伝いもいらないので，次の特色がある．
(ア)     縫い合い時間，麻酔時間を短縮し，麻酔剤の用量を減らす．
(イ)    
人手のニーズを減らす．
(ウ)    
手術器材の使用，取換えを低減する．
本案のもう一つの目的はクリップ及び切断のファンクションを兼備する手術用のピンセットの結構を提供することにある．ピンセットの上段に突出すように設けられる柱状の刀台座に嵌めこまれる刀の薄片は二つの突出弧形エッジがある．それで開口溝が形成される．その開口溝の底部エッジに，刃部が設けられる．そして，結び目を作ったあとの縫い合いワイヤは一端を少し引くと，ピンセットのフロント  プッシ方式を経由し，開口溝の内側における刃部に入る．結局，プッシープールの瞬間に，軽易に縫い合いワイヤを切断する．また，刀の薄片が弧エッジの設計を持ち，開口溝の内側に配置するので，断線しているうちに，誤差に，患者を傷害することがない．そんな刀の薄片が次の利点がある．
(ア)       利便に断線できる．
(イ)      
人，皮膚を傷害しない．
(ウ)      
皮下（subcutaneous）縫い合い方法にも適用する．
本案のもう一つの目的はクリップ及び切断のファンクションを兼備する手術用のピンセットの結構を提供することにある．ピンセットの上段部に突出すように設けられる柱状の刀台座に嵌めこまれる刀の薄片は長い形状の片側弧刃の薄片だから，一般の手術刀を取り代える．
本案のもう一つの目的はクリップ及び切断のファンクションを兼備する手術用のピンセットの結構を提供することにある．柱状の刀台座に，ソケットが設置されるので，柱状の刀台座のソケットをピンセットの上段部にはめ，手でねじを調整して締め付ける．よって，ピンセットは着脱できる刀の組立台座を接続することができる．
本案の目的，特徴および効果などをご了解 なさるために，以下，さらに具体的な実施例に図面をあわせて詳しく説明してみよう。
【図面の簡単な説明】
【０００５】
【図１】従来から，医療の縫い合い手術のときに，よく使った医療器具の説明図である．
【図２】本案のピンセットの立体分解図である．
【図３】本案のピンセットの組立説明図である．
【図４】本案により，柱状台座に別のスタイルの刀の薄片をはめ込むことを示す説明図である．
【図５】本案により，もう一つの理想的な実施例の分解図である．
【図６】本案により，もう一つの理想的な実施例のアセンブリ図面である．
【図７】本案により，刀の道具を付けるピンセットはフロント  プッシ操作方式で断線することを示す説明図である．
【実施例】
【０００６】
まずは図２，図３を御覧下さい．本案のピンセット４の上段部４１に，柱状の刀台座４２が設けられる．柱状の刀台座４２の軸方向に，溝槽４２１が凹むように配置するので，断線の刀の薄片５をはめ込む．断線の刀の薄片５は二つの突出弧形エッジ５１，５２がある．それで開口溝５３が形成される．その開口溝５３の底部エッジに，刃部５３１が設けられる．そして，結び目を作ったあとの縫い合いワイヤ２２はピンセット４のフロント  プッシ方式を経由し，開口溝５３の内側における刃部５３１に入って，プッシープールの瞬間に，縫い合いワイヤ２２を切断する．また，図４に示すように，ピンセット４の上段部４１に突出すように設けられる柱状の刀台座に嵌めこまれる刀の薄片は長い形状の片側弧刃の薄片５０だから，一般の手術刀を取り代える．
図５を御覧下さい．それは本案により，もう一つの理想的な実施例の分解図である．一般医者のよく使ったピンセット１でも，柱状の刀台座６の下段部６０にソケット６１が設置されるので，柱状の刀台座６のソケット６１をピンセット１の上段部１３にはめ，手でねじ１４を調整して締め付ける．よって，ピンセット１は着脱できる柱状刀台座６の組立ものを接続することができる．
図７を御覧下さい．それは本案により，刀の道具を付けるピンセットはフロント  プッシ操作方式で断線することを示す説明図である．縫い合いワイヤはピンセットの適当にクリップすると，直線のように引かれる．さらに本案のピンセットの刀の薄片で，フロント  プッシュしたら，軽易に断線できる．
【符号の説明】
【０００７】
ピンセット１           傷口１１
やとっこ２            針２１
縫い合いワイヤ２２     はさみ３
ピンセット４           上段部４１，１３
柱状の刀台座４２，６    刀の薄片５，５０
弧エッジ５１，５２     開口溝５３
刃部５３１            下段部６０
ソケット６１           ねじ１４
【図１】
0003158793.tif 000003
【図２】
0003158793.tif 000004
【図３】
0003158793.tif 000005
【図４】
0003158793.tif 000006
【図５】
0003158793.tif 000007
【図６】
0003158793.tif 000008
【図７】
0003158793.tif 000009
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
手術器具である鑷子の一対の挟持片の一端を連結して支点を形成した基部に、該基部から延出する接続部を設け、該接続部にカッターを設けることを特徴とする鑷子。
【請求項２】
手術器具である鑷子の一対の挟持片の一端を連結して支点を形成した基部に、該基部から延出す接続部を設け、該接続部に一端が円弧線を描く２つの端縁部と該２つの端縁部の間に形成される切欠き溝とを具え、かつ該切欠き溝の底部に刃部を形成してなる縫合線カッターを嵌設することを特徴とする鑷子。
【請求項３】
前記接続部に、反りのついた片刃のカッターを設けることを特徴とする請求項１、もしくは請求項２に記載の鑷子。
【請求項４】
前記接続部が、横断面がＵ字状を呈し、中空部が形成された嵌挿部を一端に形成し、かつ該嵌挿部に固定ネジを設け、鑷子の一対の挟持片の一端を連結して支点を形成した基部を該嵌挿部に嵌挿し、該調整ネジで該接続部を該鑷子に緊密に固定させることを特徴とする請求項１に記載の鑷子。
【手続補正２】
【補正対象書類名】明細書
【補正対象項目名】全文
【補正方法】変更
【補正の内容】
【考案の詳細な説明】
【技術分野】
【０００１】
この考案は手術器具に関し、特に、挟持の機能と切断の機能とを具える鑷子に関する。
【背景技術】
【０００２】
図１に、縫合手術で広く使用されている手術器具を開示する。図面に開示するように、縫合手術では、主に鑷子と鉗子を用いる。即ち、一方の手に持った鑷子１で傷口１１の周囲の皮膚を摘まみ、他方の手に持った鉗子２で、縫合糸２２を付けた縫合針２１を把持して、１針、１針と傷口を順に縫合する。
【０００３】
傷口を結節縫合で１針ずつ縫合結紮する場合、図１に開示するように１針毎に縫合結紮した後、剪刀３で縫合線２２を切断し、さらに第２針、第３針と順に縫合する。このような縫合の過程において、医師は１針縫合した後、一方の手を剪刀３に持ち替えて縫合線を切断してから次の１針の縫合をしなければならない。もしくは、看護師が縫合線の切断を行なう場合もある。しかしながら、医師が剪刀３に持ち替えて縫合線を切断するにしても、看護師が縫合線の切断を行なうにしても、いずれも面倒な作業であり、人力の浪費であって、経済的効果の要件に符合しない。
【考案の概要】
【考案が解決しようとする課題】
【０００４】
この考案は、縫合線を切断する機能を具え、剪刀の代替となる鑷子を提供することを課題とする。
【課題を解決するための手段】
【０００５】
そこで、本考案者は、一対の挟持片の一端を連結して支点を形成した基部に、該基部から延出する接続部を設け、該接続部にカッターを設けてなる鑷子によって課題を解決できる点に着眼し、かかる知見に基づいて本考案を完成させた。
【０００６】
以下、この考案について詳述する。
請求項１に記載する鑷子は、手術器具である鑷子の一対の挟持片の一端を連結して支点を形成した基部に、該基部から延出する接続部を設け、該接続部にカッターを設ける。
【０００７】
係る構成の鑷子は、縫合線を切断する場合、剪刀に持ち替える必要がなく、傷口を縫合する時間を短縮することができる。
【０００８】
請求項２に記載する鑷子は、手術器具である鑷子の一対の挟持片の一端を連結して支点を形成した基部に、該基部から延出す接続部を設け、該接続部に一端が円弧線を描く２つの端縁部と該２つの端縁部の間に形成される切欠き溝とを具え、かつ該切欠き溝の底部に刃部を形成してなる縫合線カッターを嵌設する。
【０００９】
係る構成の鑷子は、縫合線が容易に切欠き溝内に到り、かつ切断されるとともに、刃部が切欠き溝の底部に形成されるので、安全である。
【００１０】
請求項３に記載する鑷子は、請求項１、もしくは請求項２における接続部に、反りのついた片刃のカッターを設ける。
【００１１】
係る構成の鑷子は、メスの代替とすることができる。
【００１２】
請求項４に記載する鑷子は、請求項１における接続部が、横断面がＵ字状を呈し、中空部が形成された嵌挿部を一端に形成し、かつ該嵌挿部に固定ネジを設け、鑷子の一対の挟持片の一端を連結して支点を形成した基部を該嵌挿部に嵌挿し、該調整ネジで該接続部を該鑷子に緊密に固定させる。
【００１３】
係る構成によれば、従来の一般的な鑷子であっても、嵌挿部に鑷子の基部を挿入することによって、縫合線を切断する機能を具え、剪刀の代替となる鑷子とすることができる。
【考案の効果】
【００１４】
この考案による鑷子は、挟持の機能と切断の機能を具え、特に結節縫合で１針ずつ縫合結紮する場合などにおいて、縫合線を切断するための剪刀に持ち替える必要がなく、看護師の手を借りることも必要としない。即ち、縫合線の切断を容易にすることから、縫合の時間を短縮し、麻酔の用量を節減し、人的コストを低減させることができるとともに、縫合する場合の安全が得られるという利点を有する。
【図面の簡単な説明】
【００１５】
【図１】縫合手術で使用される従来の手術器具を示した説明図である。
【図２】この考案による鑷子を分解した状態を示した説明図である。（実施例１）
【図３】この考案における縫合線カッターを設けた状態を示した斜視図である。
【図４】他の実施の形態による鑷子を示した斜視図である。
【図５】第２の実施の形態による鑷子を分解した状態を示した説明図である。（実施例２）
【図６】第２の実施の形態による接続部を嵌設し、縫合線カッターを設けた鑷子の斜視図と、局部断面の説明図である。
【図７】この考案による鑷子の使用態様を示した説明図である。
【考案を実施するための形態】
【００１６】
この考案は、縫合線を切断する機能を具え、剪刀の代替となる鑷子を提供するものであって、鑷子の一対の挟持片の一端を連結して支点を形成した基部に、該基部から延出する接続部を設け、該接続部にカッターを設ける。
係る構成による鑷子の構造と特徴を詳述するため、具体的な実施例を挙げ、図面を参照にして以下に説明する。
【実施例１】
【００１７】
図２、３に開示するように、この考案による鑷子４は、一対の挟持片の一端を連結して支点を形成した基部４１に、接続部４２を設ける。接続部４２は基部４１から延出し、かつ長手方向に凹溝４２１を形成してなる。
【００１８】
接続部４２には縫合線カッター５を嵌設する。縫合線カッター５は、一端が円弧線を描く２つの端縁部５１、５２と、２つの端縁部５１、５２の間に形成される切欠き溝５３とを具え、かつ切欠き溝５３１の底部には刃部５３１を形成する。
【００１９】
以上の構造による鑷子４を使用して縫合結紮する場合は、結紮した縫合糸に縫合線カッター５を当てて鑷子４を押し出すことよって、切欠き溝５３１に形成した刃部５３１が縫合糸を切断する。
【００２０】
また、図４に開示するように、鑷子４の基部４１に設けた接続部４２には、反りのついた片刃のカッター５４を設けることによって、鑷子４を一般のメスの代替とすることができる。
【実施例２】
【００２１】
図５に、他の実施の形態を開示する。第２の実施の携帯では、一般に用いられる従来の鑷子１に接続部６を設け、接続部６に第１の実施の形態における接合線カッター５を嵌設する。接続部６は一端に、横断面がＵ字状を呈し、中空部６１が形成された嵌挿部６０を形成する。嵌挿部６０には、さらに調整ネジ１４を設ける。
【００２２】
鑷子１に接続部６を設ける場合は、図示するように、接続部６の嵌挿部６０に鑷子１の基部１３を嵌挿する。さらに調整ネジ１４を指で回して、接続部６を鑷子１に緊密に固定させる。
【００２３】
図７は、この考案による鑷子４で縫合線を切断する動作を示した説明図である。図面に開示するように、他の手術器具で縫合線を把持して引っ張り、縫合糸に縫合線カッター５を当てて鑷子４を押し出すことよって、縫合糸を切断することができる。
【００２４】
したがって、この考案による鑷子は、結節縫合で１針ずつ縫合結紮する場合、鑷子を１８０度方向転換させるだけで縫合線を切断することができ、縫合線を切断するための剪刀に持ち替える必要がない。また、看護師の手を借りることも必要としない。
【００２５】
また、この考案における縫合線カッターは、一端が円弧線を描く２つの端縁部と、２つの端縁部の間に形成される切欠き溝とを具え、かつ該切欠き溝の底部に刃部を形成する。即ち、２つの該端縁部が円弧線を描くため、縫合線を切断する場合、縫合線が容易に切欠き溝内に到り、かつ切断される、また、患部の皮膚を傷つけることがなく、安全である。係る鑷子は、特に皮下縫合（SUBCUTANNEOUS）に適している。
【符号の説明】
【００２６】
１ 鑷子
１１ 傷口
１４ 調整ネジ  
２１ 縫合針
２２ 縫合線
３ 剪刀
４ 鑷子
４１ 基部
４２ 接続部
４２１ 凹溝
５ 縫合線カッター
５１ 端縁部
５２ 端縁部
５３ 切欠き溝
５３１ 刃部
５４ カッター
６ 接続部
６０ 嵌挿部
６１ 中空部
【手続補正３】
【補正対象書類名】図面
【補正対象項目名】図４
【補正方法】変更
【補正の内容】
【図４】
0003158793.tif 000010